(57)【要約】      （修正有）【課題】磁力によって眼鏡のレンズ面に狭持固定する装飾具において眼鏡レンズ前面側に配されるパーツと眼鏡レンズ背面側に配されるパーツとが分離して紛失しないようにする眼鏡用装飾具を提供する。【解決手段】眼鏡用装飾具Ｘとして、装飾を表面側に有し、裏面側に磁石１１又は磁性体からなる第一吸着体を有する板体又はブロック体からなる前面装飾体１０と、表面側に前記第一吸着体に吸着する磁石２１又は磁性体からなる第二吸着体を有する板体又はブロック体からなる背面固定体２０と、前面装飾体１０と背面固定体２０とを互いに連結する紐状体からなる第一連結体３０とから構成する。【選択図】図１
0003200237.tif 000002
【実用新案登録請求の範囲】
【請求項１】
装飾を表面側に有し、裏面側に磁石又は磁性体からなる第一吸着体を有する板体又はブロック体からなる前面装飾体と、
表面側に前記第一吸着体に吸着する磁石又は磁性体からなる第二吸着体を有する板体又はブロック体からなる背面固定体と、
前記前面装飾体と前記背面固定体とを互いに連結する紐状体からなる第一連結体と
を有する眼鏡用装飾具。
【請求項２】
前記前面装飾体、前記背面固定体、前記第一連結体のいずれかに先端が固定され、後端側に眼鏡のヨロイ又はテンプルに係止するリング又はフックからなる係止体が固定される紐状体からなる第二連結体を有する
請求項１に記載の眼鏡用装飾具。
【請求項３】
前記係止体に先端が固定され、当該係止体が眼鏡のヨロイ又はテンプルに係止した状態で、後端側が眼鏡のテンプルの後端よりも長くなるように形成される紐状体からなる後部装飾体を有する請求項２に記載の眼鏡用装飾具。
【請求項４】
前記前面装飾体の下方に装飾物が吊り下げられる請求項１から３のいずれか１項に記載の眼鏡用装飾具。
【考案の詳細な説明】
【技術分野】
【０００１】
本考案は、磁力によって眼鏡のレンズ面に狭持固定する装飾具に関する。
【背景技術】
【０００２】
下記特許文献には、装飾物を設けた磁石を眼鏡レンズの前面に配し、これを眼鏡レンズの背面に配した磁石により固定する装飾具が示されている。
当該特許文献に示される装飾具は、どのような眼鏡でもレンズに穴を開けることなくレンズ面に装飾物を固定すること可能であり、また、着脱が容易であるという利点を有する。
【先行技術文献】
【特許文献】
【０００３】
【特許文献１】特許第４３７３５３０号公報
【考案の概要】
【考案が解決しようとする課題】
【０００４】
しかしながら、上記特許文献に記載の眼鏡用装飾具は、視界の邪魔にならないようにワンポイントの小さなものが多く、表面側の磁石と背面側の磁石とが分離した状態で紛失してしまう可能性が高いという問題がある。
本考案はこのような問題に鑑みて、磁力によって眼鏡のレンズ面に狭持固定する装飾具において眼鏡レンズ前面側に配されるパーツと眼鏡レンズ背面側に配されるパーツとが分離して紛失しないようにすることを課題とする。
【課題を解決するための手段】
【０００５】
上記課題を解決するために、本考案は、次のような構成を有する。
請求項１に記載の考案は、装飾を表面側に有し、裏面側に磁石又は磁性体からなる第一吸着体を有する板体又はブロック体からなる前面装飾体と、表面側に前記第一吸着体に吸着する磁石又は磁性体からなる第二吸着体を有する板体又はブロック体からなる背面固定体と、前記前面装飾体と前記背面固定体とを互いに連結する紐状体からなる第一連結体とを有する眼鏡用装飾具である。
請求項２に記載の考案は、前記眼鏡用装飾具において、前記前面装飾体、前記背面固定体、前記第一連結体のいずれかに先端が固定され、後端側に眼鏡のヨロイ又はテンプルに係止するリング又はフックからなる係止体が固定される紐状体からなる第二連結体を有するものである。
請求項３に記載の考案は、請求項２に記載の眼鏡用装飾具において、前記係止体に先端が固定され、当該係止体が眼鏡のヨロイ又はテンプルに係止した状態で、後端側が眼鏡のテンプルの後端よりも長くなるように形成される紐状体からなる後部装飾体を有するものである。
請求項４に記載の考案は、前記眼鏡用装飾具において、前記前面装飾体の下方に装飾が吊り下げられるものである。
【考案の効果】
【０００６】
以上のような構成により、本考案は、次のような効果を奏する。
請求項１に記載の考案は、眼鏡レンズ前面側に配される前面装飾体と眼鏡レンズ背面側に配され前面装飾体を磁力で吸着させる背面固定体とが紐状体からなる第一連結体によって連結されることで、前面装飾体と背面固定体とは常に一体となり分離して紛失することを防ぐことができるとともに、第一連結体も眼鏡の装飾物の一部として利用することができる。
請求項２に記載の考案は、前記前面装飾体、前記背面固定体、前記第一連結体のいずれかが紐状体からなる第二連結体によって眼鏡のヨロイ又はテンプルに固定されるので、眼鏡用装飾具が眼鏡から脱落して紛失することが予防できるとともに、第二連結体も眼鏡の装飾物の一部として利用することができる。
請求項３に記載の考案は、紐状の後部装飾体を使用者の耳に掛けるようにすると、眼鏡のヨロイ又はテンプルの途中から耳まで、及び、耳の後ろから下方に後部装飾体が表れるので、後部装飾体を装飾性の高いものとすると、眼鏡のテンプルから耳の後ろにかけて広く眼鏡を装飾することができる。
請求項４に記載の考案は、前記前面装飾体の下方に装飾物を吊り下げることでより装飾効果を高めることができる。
【図面の簡単な説明】
【０００７】
【図１】実施形態１に係る眼鏡用装飾具の斜視図である。
【図２】実施形態１に係る眼鏡用装飾具の使用状態を示す斜視図である。
【図３】実施形態２に係る眼鏡用装飾具の斜視図である。
【図４】実施形態２に係る眼鏡用装飾具の使用状態を示す斜視図である。
【図５】実施形態３に係る眼鏡用装飾具の斜視図である。
【図６】実施形態３に係る眼鏡用装飾具の使用状態を示す斜視図である。
【考案を実施するための形態】
【０００８】
以下、本考案の実施の形態について、図面を参照しながら説明する。
（実施形態１）
図１に本実施形態１に係る眼鏡用装飾具Ｘの斜視図を示す。眼鏡用装飾具Ｘは、前面装飾体１０、背面固定体２０、第一連結体３０、吊り下げ装飾物４０とを有する。
前面装飾体１０は金属リング内に偏平な円柱状のネオジム磁石１１を嵌合固定したものであり、背面にネオジム磁石１１のＮ極又はＳ極の磁石面が表出する。前面装飾体１０の表面側にはクリスタルガラス製の装飾物１２が固定されている。前面装飾体１０の下部には図示しない小さなリングが固定されている。
背面固定体２０は金属リング内に偏平な円柱状のネオジム磁石２１を嵌合固定したものである。ネオジム磁石２１は、前面装飾体１０の背面側に表出するネオジム磁石１１の磁石面に吸着する磁石面が表面側に表出するよう固定される。背面固定体２０の下部には図示しない小さなリングが固定されている。
第一連結体３０は金属チェーンであり、一端が前面装飾体１０の下部リングに固定され、他端が背面固定体２０下部のリングが固定されることで、前面装飾体１０と背面固定体２０とを連結している。
吊り下げ装飾物４０はティアドロップ状の金属枠内に擬似宝石を嵌めた装飾物で上部にチェーン４１を有し、当該チェーン４１を介して前面装飾体１０の下部リングに吊り下げられる。
【０００９】
次に、以上のような構成を有する眼鏡用装飾具Ｘの使用方法について説明する。図２に眼鏡用装飾具Ｘの使用状態を表す斜視図を示す。図に示すように使用者は前面装飾体１０を眼鏡ＧのレンズＬの表面側の任意の位置に背面が当接するように位置づけ、背面固定体２０の表面側をレンズＬの背面側に前面装飾体１０に相対するように当接させる。これによって、前面装飾体１０のネオジム磁石１１と、背面固定体２０のネオジム磁石２１とが互い磁力で引き合うことで、前面装飾体１０と背面固定体２０とはレンズＬを挟むようにしてレンズＬに固定されることになる。
このように、眼鏡用装飾具Ｘは簡単に眼鏡のレンズに固定し装飾することができる。そして、前面装飾体１０と背面固定体２０とは第一連結体３０によって連結されているので、眼鏡用装飾具Ｘを床やバッグの中などに落としたような場合でも、前面装飾体１０や背面固定体２０とが個別に紛失することが防がれるので比較的容易に見つけ出すことができる。
【００１０】
（実施形態２）
図３に本実施形態２に係る眼鏡用装飾具Ｙの斜視図を示す。眼鏡用装飾具Ｙは、前面装飾体１０、背面固定体２０、第一連結体３０、第二連結体５０とを有する。前面装飾体１０、背面固定体２０、第一連結体３０は実施形態１に係る眼鏡用装飾具Ｘと同じなので説明を省略する。
第二連結体５０は金属チェーンであり、一端は背面固定体２０の下部リングに固定されている。第二連結体５０の他端側には係止体５１が固定される。係止体５１はシリコーンゴムの紐を曲げて輪を形成したリング部５１ａと、リング部５１ａを構成する紐の両端を内周面に固定する金属の有底の筒体からなる保持体５１ｂとから構成される保持体５１ｂの底面には第二連結体５０を構成するチェーンの他端側に固定されるリングが固定されている。また、第二連結体５０を構成する金属チェーンの真ん中あたりに丸い擬似宝石からなる装飾物５２が吊り下げられるように固定されていうる。
【００１１】
次に、以上のような構成を有する眼鏡用装飾具Ｙの使用方法について説明する。図４に眼鏡用装飾具Ｙの使用状態を表す斜視図を示す。眼鏡用装飾具Ｙは眼鏡ＧのテンプルＴに第二連結体５０のリング部５１ａを通して、係止体５１をテンプルＴに固定する。前面装飾体１０と背面固定体２０とは実施形態１に係る眼鏡用装飾具Ｘと同様にレンズＬを挟むように磁力で固定する。
このように、眼鏡装飾具Ｙは第二連結体５０によって眼鏡のテンプルに固定されるので、眼鏡に装着した状態で前面装飾体１０と背面固定体２０とが脱落しても、第二連結体５０によってテンプルに吊り下げられる状態となるので、脱落して紛失することを防ぐことができる。
【００１２】
（実施形態３）
図５に本実施形態３に係る眼鏡用装飾具Ｚの斜視図を示す。眼鏡用装飾具Ｚは、前面装飾体１０、背面固定体２０、第一連結体３０、第二連結体５０ａ、後部装飾体６０とを有する。前面装飾体１０、背面固定体２０、第一連結体３０は実施形態１に係る眼鏡用装飾具Ｘと同じなので説明は省略する。
第二連結体５０ａは実施形態２に係る第二連結体５０とほぼ同じであるが、金属チェーンが３種類のチェーンを組み合わせて後部に向かって二股に分かれるような形状を有する点において相違する。これはデザイン上の変更であり、機能としては実施形態２に係る第二連結体５０と違いはない。
後部装飾体６０は、２種類の金属チェーン６１、６２とから構成され、それぞれの金属チェーン６１、６２の一端は第二連結体５０ａの係止部５１に固定され、他端側は開放されている。金属チェーン６１、６２の長さは、係止部５１を眼鏡のテンプルに固定した状態でテンプルの後端よりも十分長くなるように設定される。
【００１３】
次に、以上のような構成を有する眼鏡用装飾具Ｚの使用方法について説明する。図４に眼鏡用装飾具Ｚの使用状態を表す斜視図を示す。眼鏡用装飾具Ｚは実施形態２に係る眼鏡用装飾具Ｙと同様に第二連結体５０ａの係止体５１を眼鏡ＧのテンプルＴに固定するとともに、前面装飾体１０と背面固定体２０とを眼鏡ＧのレンズＬを挟むように磁力で固定する。そして、後部装飾体６０を構成する金属チェーン６１、６２を耳に掛けて、耳の後ろに垂らすようにする。
このように眼鏡用装飾具Ｚは、第二連結体５０と後部装飾体６０とにより眼鏡のテンプル全長に渡って装飾できるとともに、耳後ろ側も装飾することができる。
【００１４】
なお、上記実施形態において、前面装飾体１０、吊り下げ装飾物４０、第二連結体５０の装飾物は例示であり、適宜変更することが可能である。また、第一連結体２０等装飾物が設けられていない部分に装飾物を設けてもよい。また、第一連結体２０、第二連結体５０、後部装飾体６０は紐状であればよく、金属チェーン以外の装飾性のある紐体に置き換えることもできる。
また、上記実施形態において、前面装飾体１０にネオジム磁石１１、背面固定体２０にネオジム磁石２１を設けることで眼鏡レンズを磁力で挟むように構成しているが、いずれか一方を鉄などの磁性体で構成することも可能である。
さらに、実施形態２、３においては吊り下げ装飾物４０を設けていないが、実施形態２、３において吊り下げ装飾物４０を設けるようにしてもよい。
そして、上記実施形態では第二連結体５０（５０ａ）の係止体５１は眼鏡のテンプルに固定するようにしているが、眼鏡のヨロイに固定するようにしてもよい。
【符号の説明】
【００１５】
Ｘ、Ｙ、Ｚ  眼鏡用装飾具
１０  前面装飾体
１１  ネオジム磁石
１２  装飾物
２０  背面固定体
２１  ネオジム磁石
３０  第一連結体
４０  吊り下げ装飾物
５０、５０ａ  第二連結体
５１  係止体
６０  後部装飾体
【図１】
0003200237.tif 000003
【図２】
0003200237.tif 000004
【図３】
0003200237.tif 000005
【図４】
0003200237.tif 000006
【図５】
0003200237.tif 000007
【図６】
0003200237.tif 000008